(57)【要約】【課題】階段を構成する側板に対し、段板を適切に支持し得る状態で容易に取り付け可能であると共に、この段板の支持状態を安定的に確保し得る段板取り付け用金具の提供。【解決手段】一面を側板Ｓへの添装止着面２とした縦板部分１と、上面を段板Ｄの下面Ｄａへの添装止着面５とした横板部分４とを有していると共に、縦板部分１と横板部分４とは、縦板部分１の添装止着面２を通る仮想の鉛直線ｘより側方に横板部分４の一部４’を突き出させるようにして、一体に連接されており、この横板部分４の一部４’の下面を側板Ｓの上端面Ｓｂへの引っ掛け面５’としている。【選択図】図１
2005105706.tif 000002
【特許請求の範囲】
【請求項１】
階段を構成する側板に対し段板を取り付けるために用いられる金具であって、  一面を側板への添装止着面とした縦板部分と、
上面を段板の下面への添装止着面とした横板部分とを有していると共に、
縦板部分と横板部分とは、縦板部分の添装止着面を通る仮想の鉛直線より側方に横板部分の一部を突き出させるようにして、一体に連接されており、
この横板部分の一部の下面を側板の上端面への引っ掛け面としていることを特徴とする段板取り付け用金具。
【請求項２】
横板部分に釘などの軸状止着体の差込穴が形成されており、この差込穴を通して打ち込まれる軸状止着体によって横板部分が止着されるようになっていると共に、
この差込穴の大きさが軸状止着体の軸部の太さより大きくなっていることを特徴とする請求項１記載の段板取り付け用金具。
【請求項３】
横板部分の上面の全部又は一部がゴムなどの衝撃吸収材によって覆われていることを特徴とする請求項１又は請求項２記載の段板取り付け用金具。
【発明の詳細な説明】
【技術分野】
【０００１】
この発明は、階段を構成する側板に対し段板を取り付けるために用いられる金具の改良に関する。
【背景技術】
【０００２】
上端が階段状に形成された中間支持部材の側面に、各段部の上面と面一となるように備え付けられた受け金具の上面をもって、段板を支持固定するようにした階段構造がある。（特許文献１参照）
【０００３】
しかるに、かかる受け金具の上面と中間支持部材の段部の上面とを面一になるように受け金具を備え付けることは、必ずしも容易でない。両者が面一になっていない場合、場合によっては、段板の水平度が確保できなくなる。また、段板に作用される荷重が受け金具のみ作用されたり、中間支持部材の段部にのみ作用されたりしてしまう。さらに、前記両者が面一に仕上げられてあっても、受け金具は中間支持部材の側面に固定されているに過ぎないため、段板に作用される荷重は受け金具を中間支持部材から引き離すように作用されてしまいがちとなる。
【特許文献１】特許第３３４８１６１号公報
【発明の開示】
【発明が解決しようとする課題】
【０００４】
この発明が解決しようとする主たる問題点は、階段を構成する側板に対し、段板を適切に支持し得る状態で容易に取り付け可能であると共に、この段板の支持状態を安定的に確保し得る段板取り付け用金具を提供することにある。
【課題を解決するための手段】
【０００５】
前記問題点を解決するために、この発明にあっては、段板取り付け用金具を、以下の（１）〜（５）の構成を備えたものとした。
（１）階段を構成する側板に対し段板を取り付けるために用いられる金具であって、
（２）一面を側板への添装止着面とした縦板部分と、
（３）上面を段板の下面への添装止着面とした横板部分とを有していると共に、
（４）縦板部分と横板部分とは、縦板部分の添装止着面を通る仮想の鉛直線より側方に横板部分の一部を突き出させるようにして、一体に連接されており、
（５）この横板部分の一部の下面を側板の上端面への引っ掛け面としている。
【０００６】
かかる構成によれば、
（１）側板の上端面に横板部分の引っ掛け面を引っ掛け、かつ、縦板部分の添装止着面を側板の表面に添装させた後、この縦板部分の添装止着面をもってこの縦板部分を側板に止着させることにより、横板部分の添装止着面上に、段板を載せ置くことができるように、側板に対し金具を取り付けることができる。
（２）次いで、このように側板に対して取り付けられた金具の横板部分の添装止着面に段板の下面を添装させるようにして段板を配した後、この横板部分の添装止着面をもってこの横板部分を段板に止着させることにより、かかる金具を介して側板に段板を支持固定させることができる。
（３）このように支持固定された段板は、かかる金具の横板部分の添装止着面にのみ段板の下面を接しさせるものとなり、所定の水平度をもって適切に支持される。
（４）また、かかる金具は、側板の上端面に前記横板部分の引っ掛け面を引っかけさせた状態で設置されることから、段板に作用される荷重は、かかる金具を介して側板によって全面的に受けられる。すなわち、かかる金具にあっては、こうした荷重の一部が金具における縦板部分の添装止着面と側板の表面とを引き離す向きに作用することがなく、金具による段板の支持状態は常時安定的に確保される。
（５）また、側板が比較的脆い合板製である場合であっても、こうした側板の上端面に対し段板を直接釘などにより止着させるのではなく、こうした側板の上端面に横板部分の引っ掛け面を引っ掛け、かつ、縦板部分の添装止着面を側板の表面に添装止着させた金具における横板部分において段板を止着させることから、こうした側板に対しても適切に段板を固定させることができる。
【０００７】
前記横板部分に釘などの軸状止着体の差込穴が形成されており、この差込穴を通して打ち込まれる軸状止着体によって横板部分が止着されるようになっていると共に、
この差込穴の大きさが軸状止着体の軸部の太さより大きくなっているようにしておくこともできる。
【０００８】
このようにした場合、段板の取り付け後に段板に収縮などが生じた場合であっても、この収縮を、前記差込穴の余裕、つまり、差込穴と軸状止着体の軸部の寸法差によって吸収させることができ、こうした収縮などによって段板に割れなどを生じさせる事態を可及的に減少させることができる。また、地震などによって段板を支持する両側板間の間隔が変化した場合であっても、こうした変化を、差込穴と軸状止着体の軸部の寸法差によって吸収させることもできる。
【０００９】
また、前記横板部分の上面の全部又は一部がゴムなどの衝撃吸収材によって覆われているようにしておくこともできる。
【００１０】
このようにした場合、段板に作用される衝撃を、かかる段板を支持固定する金具側において吸収させることができる。
【発明の効果】
【００１１】
この発明にかかる段板取り付け用金具によれば、階段を構成する側板に対し、段板を適切に支持し得る状態で容易に取り付け可能であると共に、この段板の支持状態を安定的に確保することができる。
【発明を実施するための最良の形態】
【００１２】
以下、図１ないし図６に基づいて、この発明を実施するための最良の形態について説明する。
【００１３】
なお、ここで図１および図２は、この発明にかかる段板取り付け用金具Ｋの一例を、図３、図４および図５は、ぞれぞれ、その他の一例を、図６は、図１および図２に示される金具Ｋの横板部分４の上面を衝撃吸収材２１によって覆わせた例を、それぞれ示している。
【００１４】
この実施の形態にかかる段板取り付け用金具Ｋは、階段を構成する側板Ｓに対し段板Ｄを取り付けるために用いられるものである。
【００１５】
かかる金具Ｋは、縦板部分１と、横板部分４とを有している。縦板部分１は、その一面を側板Ｓへの添装止着面２としている。また、横板部分４は、その上面を段板Ｄの下面Ｄａへの添装止着面５としている。
【００１６】
そして、かかる金具Ｋにあっては、この縦板部分１と横板部分４とを、縦板部分１の添装止着面２を通る仮想の鉛直線ｘより側方に横板部分４の一部４’を突き出させるようにして、一体に連接させており、この横板部分４の一部４’の下面を側板Ｓの上端面Ｓｂへの引っ掛け面５’としている。
【００１７】
これにより、かかる金具Ｋにあっては、
（１）側板Ｓの上端面Ｓｂに横板部分４の引っ掛け面５’を引っ掛け、かつ、縦板部分１の添装止着面２を側板Ｓの表面Ｓａに添装させた後、この縦板部分１の添装止着面２をもってこの縦板部分１を側板Ｓに止着させることにより、横板部分４の添装止着面５上に、段板Ｄを載せ置くことができるように、側板Ｓに対し金具Ｋを取り付けることができる。
（２）次いで、このように側板Ｓに対して取り付けられた金具Ｋの横板部分４の添装止着面５に段板Ｄの下面Ｄａを添装させるようにして段板Ｄを配した後、この横板部分４の添装止着面５をもってこの横板部分４を段板Ｄに止着させることにより、かかる金具Ｋを介して側板Ｓに段板Ｄを支持固定させることができる。
（３）このように支持固定された段板Ｄは、かかる金具Ｋの横板部分４の添装止着面５にのみ段板Ｄの下面Ｄａを接しさせるものとなり、所定の水平度をもって適切に支持される。
（４）また、かかる金具Ｋは、側板Ｓの上端面Ｓｂに前記横板部分４の引っ掛け面５’を引っかけさせた状態で設置されることから、段板Ｄに作用される荷重は、かかる金具Ｋを介して側板Ｓによって全面的に受けられる。すなわち、かかる金具Ｋにあっては、こうした荷重の一部が金具Ｋにおける縦板部分１の添装止着面２と側板Ｓの表面Ｓａとを引き離す向きに作用することがなく、金具Ｋによる段板Ｄの支持状態は常時安定的に確保される。
【００１８】
図１および図２に示される例にあっては、細長い金属製の板状体に対し、その長さ方向ほぼ中程の位置で、ほぼ９０度の屈曲を施して得られたアングル材７の屈曲位置８を挟んだ一方側９が前記縦板部分１として機能するようにしてある。すなわち、この例にあっては、かかるアングル材７の一方側９の外面（屈曲外側に位置される面）が前記縦板部分１の添装止着面２となるようにしてある。
【００１９】
また、この例にあっては、かかるアングル材７の屈曲位置８を挟んだ他方側１０の外面（屈曲外側に位置される面）に下面を添装させた状態で溶着などにより金属製の重ね板材１１が固定されており、このアングル材７の他方側１０と重ね板材１１とによって前記横板部分４を形成させるようにしてある。すなわち、この例にあっては、かかる重ね板材１１の上面が前記横板部分４の添装止着面５となるようにしてある。
【００２０】
この例にあっては、重ね板材１１は、階段の左右方向、つまり、段板Ｄの長さ方向Ｄｂにおける長さを、アングル材７の屈曲位置８を挟んだ他方側１０の長さ、つまり、このアングル材７の屈曲位置８からこの他方側１０の末端までの長さよりも長くするように構成されていると共に、重ね板材１１の一端をこの屈曲位置８から側方に突き出させ、かつ、重ね板材１１の他端をアングル材７の屈曲位置８を挟んだ他方側１０の末端から側方に突き出させるようにして、このアングル材７の他方側１０に固着されている。すなわち、この例にあっては、かかる重ね板材１１における前記屈曲位置８から側方に突き出された一端部が前記縦板部分１の添装止着面２を通る仮想の鉛直線ｘより側方に突き出された横板部分４の一部４’となるようになっている。
【００２１】
かかる金具Ｋは、図３および図４に示されるように構成させることもできる。図３および図４に示される例にあっては、一枚の細長い金属製の板状体に対し、三カ所の屈曲を施して、金具Ｋを構成させるようにしている。すなわち、かかる金具Ｋにあっては、前記横板部分４となる水平部１２と、前記縦板部分１となる鉛直部１５とを有すると共に、この鉛直部１５と水平部１２とを、鉛直部１５の上端から上方に向かうに連れて次第にこの鉛直部１５の面から離れる向きに傾斜した傾斜部１６によって連接させている。傾斜部１６の上端は前記水平部１２の一端１３（階段の中央側に位置される端）において屈曲されてこの水平部１２の他端１４側に向けて水平に折り込まれた板部に連接されている。水平部１２の他端１４は、鉛直部１５における側板Ｓの表面Ｓａに接する面、つまり、縦板部分１の添装止着面２を通る仮想の鉛直線ｘよりも側方に突き出されており、このように突き出された水平部１２の他端１４部分の下面が前記引っ掛け面５’として機能するようになっている。
【００２２】
かかる金具Ｋは、図５に示されるように構成させることもできる。図５に示される例にあっては、一枚の細長い金属製の板状体に対し、二カ所の屈曲を施して、金具Ｋを構成させるようにしている。すなわち、かかる金具Ｋにあっては、前記横板部分４となる水平部１７と、前記縦板部分１となる鉛直部１８とを有すると共に、この鉛直部１８と水平部１７とを、水平部１７の他端１９において屈曲されてこの水平部１７の一端２０側に向けて水平に折り込まれた板部に、鉛直部１８の上端を連接させるようにして、連接させている。水平部１７の他端１９は、鉛直部１８における側板Ｓの表面Ｓａに接する面、つまり、縦板部分１の添装止着面２を通る仮想の鉛直線ｘよりも側方に突き出されており、このように突き出された水平部１７の他端１９部分の下面が前記引っ掛け面５’として機能するようになっている。
【００２３】
また、かかる各例にかかる金具Ｋにあっては、前記横板部分４とに釘などの軸状止着体Ｎの差込穴６が形成されており、この差込穴６を通して打ち込まれる軸状止着体Ｎによって横板部分４が段板Ｄに止着されるようになっていると共に、この差込穴６の大きさが軸状止着体Ｎの軸部Ｎａの太さより大きくなるようにしてある。
【００２４】
具体的には、かかる各例にあっては、前記横板部分４に丸穴状をなす差込穴６が貫通状態に形成されていると共に、この差込穴６を通じて下方から段板Ｄに木ねじＮ’を打ち込むことによって、横板部分４を段板Ｄに止着させるようにしている。それと共に、差込穴６の穴径が木ねじＮ’の軸部Ｎａの外径よりも大きくなるようにしてある。
【００２５】
これにより、かかる各例にかかる金具Ｋによれば、段板Ｄの取り付け後に段板Ｄに収縮などが生じた場合であっても、（こうした収縮などは段板Ｄが大きくなればなるほど顕著となり、特に、階段の踊り場を構成する段板Ｄにおいて顕著となる。）この収縮を、前記差込穴６の余裕、つまり、差込穴６と軸状止着体Ｎの軸部Ｎａの寸法差によって吸収させることができ、こうした収縮などによって段板Ｄに割れなどを生じさせる事態を可及的に減少させることができる。
【００２６】
かかる差込穴６は長穴状をなすようにしてあっても良いが、図示のように、差込穴６を全周に亘って軸状止着体Ｎの軸部Ｎａの太さよりも穴の大きさ大きくするいわゆるルーズホールとしておけば、段板Ｄの収縮などがどの向きで生じてもこれを適切に吸収することができる。
【００２７】
図１および図２に示される例にあっては、差込穴６は、横板部分４を構成する前記アングル材７の屈曲位置８を挟んだ他方側１０と、これに重ね合わされた重ね板材１１の双方とを、貫通するように形成されている。
【００２８】
また、図３に示される例にあっては、差込穴６は、横板部分４を構成する水平部１２の一端１３と傾斜部１６の上端との間にある、上下二枚の水平部１２を構成する板部を、貫通するように形成されている。また、図４に示される例にあっては、差込穴６は、横板部分４を構成する水平部１２の一端１３と傾斜部１６の上端との間にある、上下二枚の水平部１２を構成する板部と、水平部１２の他端１４と傾斜部１６の上端との間にある板部とを、それぞれ、貫通するように形成されている。図４に示される例にあっては、水平部１２の他端１４と傾斜部１６の上端との間にある板部に形成された差込穴６の直下位置において傾斜部１６にさらに軸状止着体Ｎの操作のためのドライバなどの工具の入れ込み穴６’が貫通状態に形成されている。
【００２９】
また、図５に示される例にあっては、差込穴６は、横板部分４を構成する水平部１７の一端２０と鉛直部１８の上端との間にある水平部１７を、貫通するように形成されている。
【００３０】
また、これら各例にあっては、木ねじＮ’の頭部Ｎｂと横板部分４の下面との間にスプリングワッシャーＷを介装させて木ねじＮ’を打ち込むようにしてあり、木ねじＮ’の経時的な緩みを生じさせ難くしてある。
【００３１】
また、これら各例にあっては、縦板部分１にも木ねじＮ’の差込穴３が貫通状態に形成されており、この差込穴３を通じて側板Ｓに打ち込まれる木ねじＮ’によって、この縦板部分１が側板Ｓに止着されるようにしてある。この縦板部分１に形成される差込穴３もこの差込穴３を通じて打ち込まれる釘や木ねじＮ’などの軸状止着体Ｎの軸部Ｎａの太さよりも穴の大きさを大きくするように構成してあっても良い。
【００３２】
また、図１および図２に示される例にあっては、横板部分４におけるこの横板部分４と縦板部分１との連接箇所以外の箇所のこの横板部分４の段板Ｄの幅方向Ｄｃに沿った板幅が、この連接箇所以外の箇所の全部又は一部において、この連接箇所の板幅よりも広くなるようにしてある。（図２）
【００３３】
具体的には、この図１および図２に示される例にあっては、前記アングル材７の幅は一定であるのに対し、前記横板部分４を構成する前記重ね板材１１は、その前縁（段板Ｄの段鼻側に向けられた縁／図２における下側の縁）をアングル材７の屈曲位置８を挟んだ他方側１０の前縁に沿わせているが、その後縁（図２における上側の縁）をこのアングル材７の屈曲位置８から離れるに従って次第に後方に突き出すように傾斜させており、これにより、横板部分４の段板Ｄの幅方向Ｄｃに沿った板幅が前記連接箇所以外の箇所の全部において、この連接箇所の板幅よりも広くなるようになっている。
【００３４】
このようにした場合、側板Ｓに止着される金具Ｋの縦板部分１の幅をいたずらに大きくすることなく、金具Ｋの横板部分４に前記差込穴６を複数箇所形成し得る面積を確保することができる。特に、廻り階段の廻り込み内側では、段板Ｄの幅が狭くなることから、側板Ｓに対して止着される縦板部分１の幅を広くすることにも限界が生じるが、図１および図２に示される例のようにしておけば、金具Ｋの縦板部分１の幅を広げることなく、横板部分４に多数の前記差込穴６を形成させるようにすることができ、段板Ｄが木ねじＮ’などの軸状止着体Ｎを強固に打ち込み難い合板などにより構成されている場合であっても、この横板部分４によってかかる段板Ｄを適切に支持固定させることができる。
【００３５】
図６に示されるように、横板部分４の上面の全部又は一部がゴムなどの衝撃吸収材２１によって覆われているようにしておくこともできる。
【００３６】
図６に示される例では、横板部分４の上面の全体を、シート状をなす衝撃吸収材２１によって覆うようにしてあり、前記差込穴６はこの衝撃吸収材２１を含めて横板部分４に貫通状態に設けられている。
【００３７】
このようにした場合、段板Ｄに作用される衝撃を、かかる段板Ｄを支持固定する金具Ｋ側において吸収させることができる。
【００３８】
以上に説明した金具Ｋは、典型的には、階段を構成する左右側板Ｓ、Ｓにそれぞれ取り付けられ、このように取り付けられた一対の金具Ｋ、Ｋによって、一枚の段板Ｄが支持固定される。
【図面の簡単な説明】
【００３９】
【図１】段板取り付け用金具Ｋの断面構成図（正面から視た状態）
【図２】図１におけるＡ−Ａ線断面構成図
【図３】金具Ｋの他の一例を示した断面構成図（正面から視た状態）
【図４】図３に示される金具Ｋの構成の一部を変更させた例を示した断面構成図（正面から視た状態）
【図５】金具Ｋのさらに他の一例を示した断面構成図（正面から視た状態）
【図６】金具Ｋのさらに他の一例を示した断面構成図（正面から視た状態）
【符号の説明】
【００４０】
Ｓ  側板
Ｓｂ 上端面
Ｄ  段板
Ｄａ  下面
ｘ  鉛直線
Ｋ  金具
１  縦板部分
２  添装止着面
４  横板部分
４’  一部
５  添装止着面
５’  引っ掛け面
【図１】
2005105706.tif 000003
【図２】
2005105706.tif 000004
【図３】
2005105706.tif 000005
【図４】
2005105706.tif 000006
【図５】
2005105706.tif 000007
【図６】
2005105706.tif 000008